(57)【要約】【課題】  コンパクトな収納が可能であり、従来のラダートレーニングにミニハードルトレーニングを加えたようなトレーニングを行うことができる連結体を利用したトレーニング器具を提供することを課題としている。【解決手段】  正面視でゲート状をなすゲート部４と、該ゲート部４を起立状態で支持する支持部６とを、それぞれ別の方向を向く複数の挿入孔３を備えたブロック状の連結体１と連結体１の挿入孔３に挿入可能なバー２との組み合わせにより形成し、少なくとも支持部６とゲート部４との交差部分に、連結体１Ｂを配置し、連結体１を、ゲート部４により区切られる升が平面視で階段状に屈曲しながら連続するようにゲート部４を連続配置できる構成とした。【選択図】図１
2005296074.tif 000002
【特許請求の範囲】
【請求項１】
それぞれ別の方向を向く複数の挿入孔（３）を備えたブロック状の連結体（１）と連結体（１）の挿入孔（３）に挿入可能なバー（２）との組み合わせにより、正面視でゲート状をなすゲート部（４）と、該ゲート部（４）を起立状態で支持する支持部（６）とを形成し、少なくとも支持部（６）とゲート部（４）との交差部分に、連結体（１Ｂ）を配置した連結体を利用したトレーニング器具。
【請求項２】
ゲート部（４）の屈曲部分に連結体（１Ａ）を配置し、少なくとも３個のバー（２Ａ），（２Ｂ）と、２つの連結体（１Ａ）によってゲート部（４）を形成した請求項１の連結体を利用したトレーニング器具。
【請求項３】
ゲート部（４）の両側のポール部（２Ｂ）の開放端側同士を連結体（１Ｂ）と接地側の所定のバー（２Ｄ）とで連結した請求項１又は２の連結体を利用したトレーニング器具。
【請求項４】
連結体（１）を、ゲート部（４）を所定間隔で連続配置できる構成とした請求項１又は２又は３の連結体を利用したトレーニング器具。
【請求項５】
連結体（１）を、ゲート部（４）により区切られる升が平面視で階段状に屈曲しながら連続するようにゲート部（４）を連続配置できる構成とした請求項１又は２又は３又は４の連結体を利用したトレーニング器具。
【請求項６】
連結体（１）が、所定の弾力性を有する弾性部材からなる請求項１又は２又は３又は４又は５の連結体を利用したトレーニング器具。
【発明の詳細な説明】
【技術分野】
【０００１】
本発明は、スポーツに必要な速さをトレーニングするための連結体を利用したトレーニング器具に関する。
【背景技術】
【０００２】
従来スポーツに必要な速さをトレーニングするためのトレーニング器具として、ラダートレーニングに使用するはしご状のラダーや、ミニハードルトレーニングに使用する陸上競技で使用するハードルより低い高さのミニハードル等が公知となっている（例えば非特許文献１参照）。
【非特許文献１】日本ＳＡＱ協会編「スポーツスピード養成ＳＡＱトレーニング」株式会社大修館書店出版、1999/4/10、Ｐ３５−５７
【発明の開示】
【発明が解決しようとする課題】
【０００３】
しかし例えばミニハードルは、立体的であり収納スペースが大きくなるという欠点がある。またミニハードルによるスプリントトレーニングを行う場合、ミニハードルを等間隔に配置することが困難であるという欠点もあった。あるいはラダーの升は略地表面上で区切られるため、トレーニング中に升の境界を踏んだ場合でもこれに対する抵抗がなく、トレーニング効率が低下する場合があるという欠点があった。
【課題を解決するための手段】
【０００４】
上記課題を解決するための本発明の連結体を利用したトレーニング器具は、それぞれ別の方向を向く複数の挿入孔３を備えたブロック状の連結体１と連結体１の挿入孔３に挿入可能なバー２との組み合わせにより、正面視でゲート状をなすゲート部４と、該ゲート部４を起立状態で支持する支持部６とを形成し、少なくとも支持部６とゲート部４との交差部分に、連結体１Ｂを配置したことを第１の特徴としている。
【０００５】
第２にゲート部４の屈曲部分に連結体１Ａを配置し、少なくとも３個のバー２Ａ，２Ｂと、２つの連結体１Ａによってゲート部４を形成したことを特徴としている。
【０００６】
第３にゲート部４の両側のポール部２Ｂの開放端側同士を連結体１Ｂと接地側の所定のバー２Ｄとで連結したことを特徴としている。
【０００７】
第４に連結体１を、ゲート部４を所定間隔で連続配置できる構成としたことを特徴としている。
【０００８】
第５に連結体１を、ゲート部４により区切られる升が平面視で階段状に屈曲しながら連続するようにゲート部４を連続配置できる構成としたことを特徴としている。
【０００９】
第６に連結体１が、所定の弾力性を有する弾性部材からなることを特徴としている。
【発明の効果】
【００１０】
以上のように構成される本発明の構造によると、バーと連結体とによりゲート部と支持部とを備えたミニハードル状のトレーニング器具が構成され、従来同様にミニハードルトレーニングに使用することができ、且つバーと連結体とに分解することによってコンパクトに収納することができるという効果がある。
【００１１】
そしてゲート部の屈曲部分に連結体を配置し、少なくとも３個のバーと、２つの連結体によってゲート部を形成することによって、収納時のスペースをさらに少なくすることができる他、ゲート部を構成する縦方向のポール部の長さを変更することによって、高さの異なるゲート部を容易に構成させることができ、高さの異なるミニハードルを簡単に構成することができるという利点がある。
【００１２】
またゲート部の両側のポール部の開放端側同士を連結体と接地側の所定のバーとで連結することにより、ゲート部の接地側が補強され、ゲート部とともに本トレーニング器具全体が安定するという効果がある。
【００１３】
さらにゲート部を所定間隔で連続配置することができるように連結体を構成することによって、升がゲート部によって区切られたラダーが構成され、従来のラダートレーニングにミニハードルトレーニングを加えたようなトレーニングを行うことができ、ラダートレーニングの効果を向上させることができるという利点がある。
【００１４】
そして連結体を、ゲート部により区切られる升が平面視で階段状に屈曲しながら連続するようにゲート部を所定間隔で連続配置できるように構成することにより、他の完成品を組み合わせることなく、升の切れ目がない階段状ラダーとすることができ、階段状ラダートレーニングを、升の切れ目がなく、且つ１升が所定の高さを持つゲート部によって区切られた階段状ラダーによって行うことができ、階段状ラダートレーニングの効果を向上させることができる。
【００１５】
そして連結体を、所定の弾力性を有する弾性部材から構成することにより、本トレーニング器具を使用したトレーニング中に、ゲート部に足が引っ掛かるようなことがあっても、足に対するダメージはほとんどなく、引っ掛かったという感覚のみを使用者に与えることができる。またこれによりバーの連結体への挿入作業及び挿入後の摩擦によるバーと連結体との位置決めを容易且つ確実に行うことができる。
【発明を実施するための最良の形態】
【００１６】
図１に示される、本トレーニング器具は、連結ブロック１とバー２の組み合わせによって構成される。連結ブロック１は弾力性を有する弾性部材であるゴムが立方体に成形されて構成されている。バー２は所定の長さの剛体からなる丸棒である。
【００１７】
図２に示されるように、連結ブロック１には、軸心が全て９０度で交差する３つの貫通孔がバー２の挿入孔３として空けられている。各挿入孔３は連結ブロック１の対向面の間で貫通している。挿入孔３の径は、バー２を挿入することができ、連結ブロック１とバー２とは摩擦によって位置決めされる。
【００１８】
図１に示されるように、本トレーニング器具は、正面視でゲート状をなすゲート部４と、平面視で正方形をなし、ゲート部４を支持する支持部６とから構成されている。ゲート部４は、所定距離はなれた縦方向の２本のバー（ポールバー）２Ａの一端に連結ブロック１Ａを挿入し、両連結ブロック１Ａの間にバー（メインバー）２Ｂを挿入して形成されている。つまりゲート部４の折れ曲がり部分に連結ブロック１Ａが配されている。
【００１９】
支持部６は、所定距離はなれた２本のバー（接地バー）２Ｃの両端に連結ブロック１Ｂ，１Ｃを挿入し、連結ブロック１Ｂの間にバー（連結バー）２Ｄが、連結ブロック１Ｃの間にバー２がそれぞれ挿入されて形成されている。
【００２０】
そしてゲート部４のポールバー２Ａの下端が、支持部６の連結ブロック１Ｂに挿入され、つまりゲート部４と支持部６との交差部分に配された連結ブロック１Ｂによって、ゲート部４が支持部６に連結支持されている。以上のように本トレーニング器具は、ハードル状（ミニハードル）に形成されている。
【００２１】
このため本トレーニング器具は、単体でミニハードルトレーニングに使用することができる。このとき支持部６における連結バー２Ｄが、ゲート部４のポールバー２Ａの開放端側を連結ブロック１Ｂを介して連結するため、ゲート部４は支持部６に支持された状態では正面視で長方形となり、ゲート部４の下方位置が補強され、ゲート部４の形状が安定し、本トレーニング器具自体が安定する。
【００２２】
そして長さが異なるバーを予め複数種類用意し、ゲート部４のポールバー２Ａに使用するバーを変更することによって、高さが異なるミニハードルを簡単に構成させることができ、ミニハードルトレーニングのバリエーションを増加させることができる。なお本トレーニング器具は、バー２と連結ブロック１とに分解することによって、予め複数種類のミニハードルを用意しておく場合に比較して、コンパクトに収納することができる。
【００２３】
また連結ブロック１がゴム製であるため、ミニハードルトレーニング中にミニハードル（本トレーニング器具）に足が引っ掛かった場合でも、足へのダメージは少なく、トレーニング者に足がゲート部４に引っ掛かったという感覚のみを与えることができ、トレーニング効果を向上させることができる。
【００２４】
なおバー２を弾性部材によって構成することでも上記効果を得ることはできる。ただしバー２の連結ブロック１への挿入作業と、挿入後の摩擦によるバー２と連結ブロック１との位置決めは、バー２を剛体により形成し、連結ブロック１を弾性部材により形成する方が容易且つ確実に行うことができる。なお図３に示されるように、ゲート部４として、ゲート状に湾曲又は屈曲したゲートバー２Ｅを使用することもできる。
【００２５】
一方図４に示されるように、支持部６を構成する接地バー２Ｃのゲート部４の反対側の端部を、他の本トレーニング器具のゲート部４と支持部６とを連結する連結ブロック１Ｂの挿入孔３に挿入することによって、本トレーニング器具を一体的に連結することができる。これにより図５に示されるように、連続する本トレーニング器具は平面視ではしご状のラダーとなる。
【００２６】
これにより図６に示されるように、連続的に連結された本トレーニング器具をラダートレーニングに使用することができる。このとき従来のラダーを使用するラダートレーニングとは異なり、１升が所定の高さを持つゲート部４によって区切られるため、トレーニング者Ｐが升を飛び越える場合に、必ずゲート部４を越える高さに足Ｆを上げる必要があり、従来のラダートレーニングにミニハードルトレーニングを加えたようなトレーニングを行うことができ、ラダートレーニングの効果を向上させることができる。
【００２７】
なお各ゲート部４の間隔、すなわちラダーの升のサイズと間隔は、支持部６の接地バー２Ｃの長さとなる。このため複数の長さが異なるバーから、接地バー２Ｃに使用するバーを変更することによって、升のサイズと間隔を簡単に変更することができ、ラダートレーニングの効率を向上させることができる。
【００２８】
ただし図７に示されるように、接地バー２Ｃを長尺とし、該接地バー２Ｃにゲート部４のポールバー２Ａが挿入される複数の連結ブロック１Ｂを挿入し、接地バー２Ｃに挿入される複数の連結ブロック１Ｂによって複数のゲート部４を１つの支持部６に連結するように構成することによっても、本トレーニング器具をラダー状とすることができる。
【００２９】
この場合接地バー２Ｃの長さは、複数のゲート部４を所定間隔で連続配置することができる程度の長さが必要となる。そして接地バー２Ｃに挿入される連結ブロック１Ｂは、接地バー２Ｃに対してスライド自在であるため、ゲート部４の間隔（ラダーの升のサイズと間隔）を無段階に任意に設定調節することができる。
【００３０】
一方連結ブロックが３方向に貫通する挿入孔を備えているため、図８に示されるように、本トレーニング器具を屈曲させて一体的に連結し、升の切れ目がない階段状ラダーとすることができる。これにより階段状ラダートレーニングを升の切れ目がなく、且つ１升が所定の高さを持つゲート部によって区切られた階段状ラダーで行うことができ、階段状ラダートレーニングの効果を向上させることができる。
【００３１】
なお連結ブロック１は、外形形状はどのようなものでも良く、例えば図９に示されるように外形を球形とし、上記同様３方向に向かって貫通する挿入孔を設けて構成してもよい。また挿入孔は図７に示されるようにバーを貫通させるような使用方法をとらない場合は、貫通孔である必要はなく、一方のみ開いていればよい。さらにゲート部にゲートバーを使用する場合は、連結ブロックに設ける挿入孔は、最低限２方向に向かう一方のみ開いた孔でよい。
【図面の簡単な説明】
【００３２】
【図１】本トレーニング器具の斜視図である。
【図２】連結ブロック部分の要部斜視図である。
【図３】ゲートバーを示す正面部分断面図である。
【図４】支持部の連結状態を示す要部側断面図である。
【図５】ラダー状に連結された状態の平面図である。
【図６】ミニハードルトレーニングでの使用状態を示す概要線図である。
【図７】長尺のスタンドバーに複数の連結ブロックを挿入した状態を示す要部側断面図である。
【図８】階段状ラダーに連結された状態の平面図である。
【図９】連結ブロックの他の実施形態を示す断面図である。
【符号の説明】
【００３３】
１    連結体
１Ａ  連結体
１Ｂ  連結体
２    バー
２Ａ  メインバー（バー）
２Ｂ  ポールバー（バー，ポール部）
２Ｄ  連結バー（バー）
３    挿入孔
４    ゲート部
６    支持部
【図１】
2005296074.tif 000003
【図２】
2005296074.tif 000004
【図３】
2005296074.tif 000005
【図４】
2005296074.tif 000006
【図５】
2005296074.tif 000007
【図６】
2005296074.tif 000008
【図７】
2005296074.tif 000009
【図８】
2005296074.tif 000010
【図９】
2005296074.tif 000011